(57)【要約】【課題】頭部付き雄ねじ２および雌ねじ４の少なくともいずれか一方のねじと、このねじ（２，４）のみに使用可能な専用工具であるソケット３とを含む締結キット１において、当該締結キット１のねじ（２，４）を当該締結キット１の所有者とは異なる第三者が取り外すことを防止する率を高める。【解決手段】雄ねじ２は、ソケット３の穴３２と該ねじの軸心２３に沿う方向に嵌合する工具嵌合部２２を有する。工具嵌合部２２の窪み部２４において、締付トルク受面２５および弛緩トルク受面２６の少なくともいずれか一方の少なくとも１つには、雄ねじ２の軸心と平行な方向の全域に沿う凸条部が少なくとも１つ設けられているとともに、雄ねじ２の軸心と平行な方向の全域に沿う凹条部が少なくとも１つ設けられている。【選択図】図１
2016103751.tif 000002
【特許請求の範囲】
【請求項１】
頭部付き雄ねじおよび雌ねじの少なくともいずれか一方のねじと、このねじのみに使用可能な専用工具であるソケットとを含む締結キットであって、
前記ねじは、前記ソケットの穴と該ねじの軸心に沿う方向に嵌合する工具嵌合部を有し、この工具嵌合部の外周面の円周方向の数ヶ所には、該ねじの軸心に向かって窪む窪み部が設けられており、
前記窪み部のそれぞれは、前記ねじの軸心と平行とされ且つ前記ソケットから入力される締付トルクを受ける締付トルク受面と、前記ソケットから入力される弛緩トルクを受ける弛緩トルク受面とを有し、
前記締付トルク受面のすべては、前記ねじの軸心を含む平面と合致する平坦面とされ、
前記弛緩トルク受面のすべては、その外端縁が内端縁よりも前記平坦面から離されるとともに該内端縁から前記外端縁に向けて膨出する膨出面とされ、
前記締付トルク受面および前記弛緩トルク受面の少なくともいずれか一方の少なくとも１つには、前記ねじの軸心と平行な方向の全域に沿う凸条部が少なくとも１つ設けられているとともに、前記ねじの軸心と平行な方向の全域に沿う凹条部が少なくとも１つ設けられている、ことを特徴とする締結キット。
【請求項２】
請求項１に記載の締結キットにおいて、
前記凸条部は、その設置対象となる前記締付トルク受面または前記弛緩トルク受面の内端縁から外端縁までの長さよりも小さい幅とされ、かつ前記内端縁から前記外端縁までの範囲の任意の位置に配置される、ことを特徴とする締結キット。
【請求項３】
請求項１に記載の締結キットにおいて、
前記凸条部は、前記複数の締付トルク受面のうちの少なくとも１つに、当該締付トルク受面の径方向の全域に設けられる、ことを特徴とする締結キット。
【請求項４】
請求項１から３のいずれか１項に記載の締結キットにおいて、
前記凹条部は、その設置対象となる前記締付トルク受面または前記弛緩トルク受面の内端縁から外端縁までの長さよりも小さい幅とされ、かつ前記内端縁から前記外端縁までの範囲の任意の位置に配置される、ことを特徴とする締結キット。
【請求項５】
請求項１に記載の締結キットにおいて、
前記複数の締付トルク受面のうちの少なくとも１つには前記凸条部が少なくとも１つ設けられ、また、前記複数の弛緩トルク受面のうちの少なくとも１つには前記凹条部が少なくとも１つ設けられる、ことを特徴とする締結キット。
【請求項６】
請求項１に記載の締結キットにおいて、
前記複数の締付トルク受面のうちの少なくとも１つには前記凹条部が少なくとも１つ設けられ、また、前記複数の弛緩トルク受面のうちの少なくとも１つには前記凸条部が少なくとも１つ設けられる、ことを特徴とする締結キット。
【請求項７】
請求項１に記載の締結キットにおいて、
前記複数の締付トルク受面のうちの少なくとも１つには、前記凸条部と前記凹条部とが少なくとも１つずつ設けられる、ことを特徴とする締結キット。
【請求項８】
請求項１に記載の締結キットにおいて、
前記複数の弛緩トルク受面のうちの少なくとも１つには、前記凸条部と前記凹条部とが少なくとも１つずつ設けられる、ことを特徴とする締結キット。
【請求項９】
請求項１に記載の締結キットにおいて、
前記複数の締付トルク受面のうちの少なくとも１つには前記凸条部と前記凹条部とが少なくとも１つずつ設けられ、
前記複数の弛緩トルク受面のうちの少なくとも１つには前記凸条部と前記凹条部とが少なくとも１つずつ設けられる、ことを特徴とする締結キット。
【発明の詳細な説明】
【技術分野】
【０００１】
本発明は、頭部付き雄ねじおよび雌ねじの少なくともいずれか一方からなるねじと、このねじのみに使用可能な専用工具とを組み合わせた構成の締結キットに関する。
【背景技術】
【０００２】
本願出願人は、防犯性を高めたボルト、ナット、ならびに当該ボルト及びナット専用の工具であるソケットを出願している（特許文献１−３参照）。【０００３】
上記ボルト及びナットは、上記ソケットのみで締め付け操作と緩め操作とを行えるように特殊な外形形状とされており、一般的な工具では締め付け操作と緩め操作とを行えないようになっている。【０００４】
なお、上記ボルト及びナットは、その工具嵌合部の外周の円周方向の数ヶ所に、それらの専用工具と係合する窪み部が設けられている。この多数の窪み部は、すべて同じ形状になっており、平坦な内壁面と、この内壁面に対して傾斜するとともに膨出する内壁面とを有している。ソケットの穴の内周面の円周方向の数ヶ所には、前記窪み部に合致して嵌合する形状の張り出し部が設けられている。
【先行技術文献】
【特許文献】
【０００５】
【特許文献１】意匠登録第１４３７４２０号
【特許文献２】意匠登録第１４４５３１０号
【特許文献３】意匠登録第１４５５７５１号
【発明の概要】
【発明が解決しようとする課題】
【０００６】
上記特許文献１のボルト及び上記特許文献２のナットを量産して販売する際には、上記特許文献３のソケットを付属させたキット販売にするのが好ましい。このようにキット販売とした場合、前記キットの購入者は、前記ソケットを所持していることになる。【０００７】
そのため、仮に、前記キットの購入者が当該キットのボルトまたはナットを用いて例えば車両のナンバープレートを車両に締結している状況において、前記購入者とは異なる第三者が前記キットと同一商品を購入していたとすると、当該第三者が前記キットに付属している専用工具であるソケットを用いることによって前記ボルトまたはナットを緩めて前記ナンバープレートを取り外すことが可能になるなど、防犯性が低下することが懸念される。ここに改良の余地がある。【０００８】
このような事情に鑑み、本発明に係る締結キットは、当該締結キットのねじを当該締結キットの所有者とは異なる第三者が取り外すことを防止する率を高めることを目的としている。
【課題を解決するための手段】
【０００９】
本発明は、頭部付き雄ねじおよび雌ねじの少なくともいずれか一方のねじと、このねじのみに使用可能な専用工具であるソケットとを含む締結キットであって、前記ねじは、前記ソケットの穴と該ねじの軸心に沿う方向に嵌合する工具嵌合部を有し、この工具嵌合部の外周面の円周方向の数ヶ所には、該ねじの軸心に向かって窪む窪み部が設けられており、前記窪み部のそれぞれは、前記ねじの軸心と平行とされ且つ前記ソケットから入力される締付トルクを受ける締付トルク受面と、前記ソケットから入力される弛緩トルクを受ける弛緩トルク受面とを有し、前記締付トルク受面のすべては、前記ねじの軸心を含む平面と合致する平坦面とされ、前記弛緩トルク受面のすべては、その外端縁が内端縁よりも前記平坦面から離されるとともに該内端縁から前記外端縁に向けて膨出する膨出面とされ、前記締付トルク受面および前記弛緩トルク受面の少なくともいずれか一方の少なくとも１つには、前記ねじの軸心と平行な方向の全域に沿う凸条部が少なくとも１つ設けられているとともに、前記ねじの軸心と平行な方向の全域に沿う凹条部が少なくとも１つ設けられている、ことを特徴としている。【００１０】
なお、本発明に係る締結キットは、頭部付き雄ねじとソケットとを組み合わせたタイプと、雌ねじとソケットとを組み合わせたタイプと、頭部付き雄ねじと雌ねじとソケットとを組み合わせたタイプとなりうる。また、前記頭部付き雄ねじは頭部付きボルトとも呼ばれており、また、前記雌ねじはナットとも呼ばれている。さらに、前記ソケットは、例えば丸棒形状の胴体の長手方向一端側から長手方向途中までに陥没する穴を有する構成である。このソケットは、その長手方向他端側に棒状ハンドルが一体に設けられる構成、あるいは前記長手方向他端側に別体の棒状ハンドルを取り外し可能に取り付けられる構成とされる。【００１１】
上記構成では、前記ねじの窪み部の締付トルク受面および弛緩トルク受面の少なくともいずれか一方の形状を、本発明に係る締結キット毎に異なる固有形状にしていて、それの締め付け時および弛緩時に用いるソケットについても当該ねじの工具嵌合部のみに嵌合する形状にしているから、本発明に係る締結キットを量産して販売する場合には、すべての締結キットが互いに異なる物になる。つまり、本発明に係る締結キット毎の個体差を可及的に多くすることが可能になるから、当該締結キットの生産数を可及的に多くすることが可能になる。【００１２】
これにより、本発明に係る締結キットを多数の人がそれぞれ購入したとしても、ある購入者が購入したねじを適宜部位に螺合装着している状況において、前記購入者とは異なる第三者が購入したソケットを用いても、当該ソケットの穴を前記ねじの工具嵌合部に合致して外嵌させることができなくなる確率が高くなる。そのため、当該ねじを緩めて取り外すことを防止する防犯率を高めることが可能になる。【００１３】
極端に言うと、前記ねじを適宜部位に螺合装着した場合には、当該装着した人が所有するソケットでしか前記ねじを緩めて取り外すことができなくなる。仮に、前記締結キットを例えば車両に対するナンバープレートの取り付けに利用する場合には、このナンバープレートの盗難を防止する率を高めることが可能になるなど、防犯率を高めることに貢献できるようになる。【００１４】
さらに、上記構成では、前記ねじの窪み部それぞれの弛緩トルク受面が傾斜した膨出面であることを特定しているので、下記するように、仮に前記ねじを前記ソケット以外の工具、例えば一般的なプライヤーを用いても緩めて取り外すことができなくなる。【００１５】
具体的に、仮に前記プライヤーで前記ねじを緩めて取り外す場合には、前記ねじの窪み部それぞれにおける傾斜した膨出面のみに前記プライヤーの顎先を当接させて弛緩トルクを入力するように操作することが想定される。その場合には、当該膨出面がプライヤーの顎先を滑らせるように作用することになるために、前記膨出面に弛緩トルクを入力することができなくなる。このような理由により、前記プライヤーを用いても前記ねじを緩めて取り外すことができなくなるのである。【００１６】
ところで、前記凸条部は、その設置対象となる前記締付トルク受面または前記弛緩トルク受面の内端縁から外端縁までの長さよりも小さい幅とされ、かつ前記内端縁から前記外端縁までの範囲の任意の位置に配置される。【００１７】
この構成では、前記締付トルク受面または前記弛緩トルク受面に対する前記凸条部の設置位置をいろいろ変えることが可能になるので、本発明に係る締結キット毎の個体差を可及的に多くすることが可能になる。【００１８】
また、前記凸条部は、前記複数の締付トルク受面のうちの少なくとも１つに、当該締付トルク受面の径方向の全域に設けられる。【００１９】
この構成では、前記凸条部が比較的容易に加工可能な形状であるから、それらの製造コストの上昇を抑制することが可能になる。【００２０】
また、前記凹条部は、その設置対象となる前記締付トルク受面または前記弛緩トルク受面の内端縁から外端縁までの長さよりも小さい幅とされ、かつ前記内端縁から前記外端縁までの範囲の任意の位置に配置される。【００２１】
この構成では、前記締付トルク受面または前記弛緩トルク受面に対する前記凹条部の設置位置をいろいろ変えることが可能になるので、本発明に係る締結キット毎の個体差を可及的に多くすることが可能になる。【００２２】
また、前記複数の締付トルク受面のうちの少なくとも１つに前記凸条部を少なくとも１つ設け、また、前記複数の弛緩トルク受面のうちの少なくとも１つに前記凹条部を少なくとも１つ設ける、ことができる。【００２３】
また、前記複数の締付トルク受面のうちの少なくとも１つに前記凹条部を少なくとも１つ設け、また、前記複数の弛緩トルク受面のうちの少なくとも１つに前記凸条部を少なくとも１つ設ける、ことができる。【００２４】
また、前記複数の締付トルク受面のうちの少なくとも１つに、前記凸条部と前記凹条部とを少なくとも１つずつ設ける、ことができる。【００２５】
また、前記複数の弛緩トルク受面のうちの少なくとも１つに、前記凸条部と前記凹条部とを少なくとも１つずつ設ける、ことができる。【００２６】
また、前記複数の締付トルク受面のうちの少なくとも１つに前記凸条部と前記凹条部とを少なくとも１つずつ設け、前記複数の弛緩トルク受面のうちの少なくとも１つに前記凸条部と前記凹条部とを少なくとも１つずつ設ける、ことができる。
【発明の効果】
【００２７】
本発明に係る締結キットは、当該締結キットのねじを当該締結キットの所有者とは異なる第三者が取り外すことを防止する率を高めることが可能になる。そのため、例えば前記締結キットを用いて適宜部材（例えば車両のナンバープレートなど）を適宜場所（例えば車両）に取り付ける場合において盗難を防止する率、あるいは前記締結キットを用いて開閉部材（貴重品棚ならびに電子回路収納庫の扉など）を閉塞状態でロックする場合において意図せぬ開放を防止する率、つまり防犯率を高めることができるようになる。このように、防犯性の高い締結キットを提供できるようになる。
【図面の簡単な説明】
【００２８】
【図１】本発明に係る締結キットの一実施形態で、外観を示す斜視図である。
【図２】本発明に係る締結キットの他の実施形態で、外観を示す斜視図である。
【図３】図１の雄ねじの頭部の平面図である。
【図４】図１の雄ねじの側面図である。
【図５】図２の雌ねじの平面図である。
【図６】図２の雌ねじの側面図である。
【図７】図１および図２のソケットの穴を開口側から見た状態を示す図である。
【図８】図１および図２のソケットの断面図である。
【図９】雄ねじおよび雌ねじに備える窪み部の他例であって、雄ねじに適用した例を示す平面図である。
【図１０】雄ねじおよび雌ねじに備える窪み部の他例であって、雄ねじに適用した例を示す平面図である。
【図１１】雄ねじおよび雌ねじに備える窪み部の他例であって、雄ねじに適用した例を示す平面図である。
【図１２】雄ねじおよび雌ねじに備える窪み部の他例であって、雄ねじに適用した例を示す平面図である。
【図１３】雄ねじおよび雌ねじに備える窪み部の他例であって、雄ねじに適用した例を示す平面図である。
【図１４】雄ねじおよび雌ねじに備える窪み部の他例であって、雄ねじに適用した例を示す平面図である。
【図１５】雄ねじおよび雌ねじに備える窪み部の他例であって、雄ねじに適用した例を示す平面図である。
【図１６Ａ】雄ねじおよび雌ねじに備える窪み部の他例であって、雄ねじに適用した例を示す平面図である。
【図１６Ｂ】雄ねじおよび雌ねじに備える窪み部の他例であって、雄ねじに適用した例を示す平面図である。
【図１６Ｃ】雄ねじおよび雌ねじに備える窪み部の他例であって、雄ねじに適用した例を示す平面図である。
【図１７Ａ】雄ねじおよび雌ねじに備える窪み部の他例であって、雄ねじに適用した例を示す平面図である。
【図１７Ｂ】雄ねじおよび雌ねじに備える窪み部の他例であって、雄ねじに適用した例を示す平面図である。
【図１７Ｃ】雄ねじおよび雌ねじに備える窪み部の他例であって、雄ねじに適用した例を示す平面図である。
【図１８Ａ】雄ねじおよび雌ねじに備える窪み部の他例であって、雄ねじに適用した例を示す平面図である。
【図１８Ｂ】雄ねじおよび雌ねじに備える窪み部の他例であって、雄ねじに適用した例を示す平面図である。
【図１８Ｃ】雄ねじおよび雌ねじに備える窪み部の他例であって、雄ねじに適用した例を示す平面図である。
【図１９Ａ】雄ねじおよび雌ねじに備える窪み部の他例であって、雄ねじに適用した例を示す平面図である。
【図１９Ｂ】雄ねじおよび雌ねじに備える窪み部の他例であって、雄ねじに適用した例を示す平面図である。
【図１９Ｃ】雄ねじおよび雌ねじに備える窪み部の他例であって、雄ねじに適用した例を示す平面図である。
【図２０Ａ】雄ねじおよび雌ねじに備える窪み部の他例であって、雄ねじに適用した例を示す平面図である。
【図２０Ｂ】雄ねじおよび雌ねじに備える窪み部の他例であって、雄ねじに適用した例を示す平面図である。
【図２１Ａ】雄ねじおよび雌ねじに備える窪み部の他例であって、雄ねじに適用した例を示す平面図である。
【図２１Ｂ】雄ねじおよび雌ねじに備える窪み部の他例であって、雄ねじに適用した例を示す平面図である。
【図２１Ｃ】雄ねじおよび雌ねじに備える窪み部の他例であって、雄ねじに適用した例を示す平面図である。
【図２２Ａ】雄ねじおよび雌ねじに備える窪み部の他例であって、雄ねじに適用した例を示す平面図である。
【図２２Ｂ】雄ねじおよび雌ねじに備える窪み部の他例であって、雄ねじに適用した例を示す平面図である。
【図２２Ｃ】雄ねじおよび雌ねじに備える窪み部の他例であって、雄ねじに適用した例を示す平面図である。
【図２３Ａ】雄ねじおよび雌ねじに備える窪み部の他例であって、雄ねじに適用した例を示す平面図である。
【図２３Ｂ】雄ねじおよび雌ねじに備える窪み部の他例であって、雄ねじに適用した例を示す平面図である。
【図２４Ａ】雄ねじおよび雌ねじに備える窪み部の他例であって、雄ねじに適用した例を示す平面図である。
【図２４Ｂ】雄ねじおよび雌ねじに備える窪み部の他例であって、雄ねじに適用した例を示す平面図である。
【図２４Ｃ】雄ねじおよび雌ねじに備える窪み部の他例であって、雄ねじに適用した例を示す平面図である。
【図２５Ａ】雄ねじおよび雌ねじに備える窪み部の他例であって、雄ねじに適用した例を示す平面図である。
【図２５Ｂ】雄ねじおよび雌ねじに備える窪み部の他例であって、雄ねじに適用した例を示す平面図である。
【図２６Ａ】雄ねじおよび雌ねじに備える窪み部の他例であって、雄ねじに適用した例を示す平面図である。
【図２６Ｂ】雄ねじおよび雌ねじに備える窪み部の他例であって、雄ねじに適用した例を示す平面図である。
【図２６Ｃ】雄ねじおよび雌ねじに備える窪み部の他例であって、雄ねじに適用した例を示す平面図である。
【図２７Ａ】雄ねじおよび雌ねじに備える窪み部の他例であって、雄ねじに適用した例を示す平面図である。
【図２７Ｂ】雄ねじおよび雌ねじに備える窪み部の他例であって、雄ねじに適用した例を示す平面図である。
【図２８Ａ】雄ねじおよび雌ねじに備える窪み部の他例であって、雄ねじに適用した例を示す平面図である。
【図２８Ｂ】雄ねじおよび雌ねじに備える窪み部の他例であって、雄ねじに適用した例を示す平面図である。
【図２８Ｃ】雄ねじおよび雌ねじに備える窪み部の他例であって、雄ねじに適用した例を示す平面図である。
【図２９Ａ】雄ねじおよび雌ねじに備える窪み部の他例であって、雄ねじに適用した例を示す平面図である。
【図２９Ｂ】雄ねじおよび雌ねじに備える窪み部の他例であって、雄ねじに適用した例を示す平面図である。
【図２９Ｃ】雄ねじおよび雌ねじに備える窪み部の他例であって、雄ねじに適用した例を示す平面図である。
【図３０Ａ】雄ねじおよび雌ねじに備える窪み部の他例であって、雄ねじに適用した例を示す平面図である。
【図３０Ｂ】雄ねじおよび雌ねじに備える窪み部の他例であって、雄ねじに適用した例を示す平面図である。
【図３１Ａ】雄ねじおよび雌ねじに備える窪み部の他例であって、雄ねじに適用した例を示す平面図である。
【図３１Ｂ】雄ねじおよび雌ねじに備える窪み部の他例であって、雄ねじに適用した例を示す平面図である。
【図３１Ｃ】雄ねじおよび雌ねじに備える窪み部の他例であって、雄ねじに適用した例を示す平面図である。
【図３２Ａ】雄ねじおよび雌ねじに備える窪み部の他例であって、雄ねじに適用した例を示す平面図である。
【図３２Ｂ】雄ねじおよび雌ねじに備える窪み部の他例であって、雄ねじに適用した例を示す平面図である。
【図３２Ｃ】雄ねじおよび雌ねじに備える窪み部の他例であって、雄ねじに適用した例を示す平面図である。
【図３３】雄ねじおよび雌ねじに備える窪み部の他例であって、雄ねじに適用した例を示す平面図である。
【図３４】雄ねじおよび雌ねじに備える窪み部の他例であって、雄ねじに適用した例を示す平面図である。
【図３５】図３４の締付トルク受面のみを正面から見た図である。この図において下側が雄ねじのねじ軸側となる。
【図３６】図３５の凸条部の変形例であり、締付トルク受面のみを正面から見た図である。この図において下側が雄ねじのねじ軸側となる。
【図３７】雄ねじおよび雌ねじに備える窪み部の他例であって、雄ねじに適用した例を示す平面図である。
【図３８】雄ねじおよび雌ねじに備える窪み部の他例であって、雄ねじに適用した例を示す平面図である。
【図３９】雄ねじおよび雌ねじに備える窪み部の他例であって、雄ねじに適用した例を示す平面図である。
【発明を実施するための形態】
【００２９】
以下、本発明を実施するための最良の実施形態について添付図面を参照して詳細に説明する。
【００３０】
図１に本発明に係る締結キットの一実施形態を示しており、図２に本発明に係る締結ユニットの他の実施形態を示している。図中、１は締結キットの全体を示している。
【００３１】
図１に示す締結キット１は、頭部付きの雄ねじ（以下では単に雄ねじと言う）２と、ソケット３とを含む構成である。図２に示す締結キット１は、雌ねじ４と、ソケット３とを含む構成である。
【００３２】
まず、図１に示す雄ねじ２は、ねじ軸２１の長手方向一端側に工具嵌合部としての頭部２２を設けた構成である。頭部２２は、図４に示すように、ほぼ円柱形に形成されていて、その外周面の上側角部が丸く面取りされていて、前記外周面の下側は徐々に拡径されたフレア形状とされている。
【００３３】
この頭部２２の外周面の上側角部において円周方向の数ヶ所（図では８ヶ所）には、図３に示すように、窪み部２４が設けられている。この多数の窪み部２４は、この実施形態において円周方向に等間隔に設けられている。
【００３４】
窪み部２４は、頭部２２の外周縁から雄ねじ２の軸心２３側へ向けて窪むように設けられている。この窪み部２４は、その最深位置から開口へ向けて開くような平面視でほぼＶ字形に形成されている。言い換えると、窪み部２４は、雄ねじ２の軸心２３側から頭部２２の外周縁に向けて漸次幅広となるように形成されている。
【００３５】
この窪み部２４は、雄ねじ２の軸心２３と平行とされる締付トルク受面２５および弛緩トルク受面２６を有している。
【００３６】
締付トルク受面２５は、ソケット３により雄ねじ２を締め付けるときに入力される締付トルク１００を受ける側に配置されている。また、弛緩トルク受面２６は、ソケット３により雄ねじ２を緩めるときに入力される弛緩トルク２００を受ける側に配置されている。
【００３７】
締付トルク受面２５および弛緩トルク受面２６は、締結キット１毎に異なる固有の形状に形成されている。
【００３８】
この実施形態では、すべての締付トルク受面２５が、図３に示すように、凸条部と凹条部とを含む凸凹面にされている。また、すべての弛緩トルク受面２６は、その内端縁２６ａから外端縁２６ｂに向けて膨出する膨出面とされている。
【００３９】
ここで、まず、前記膨出面は、この実施形態において部分円弧形状の曲面とされていて、その曲率半径は任意に設定されるが、例えば多数の円弧を連接した複合曲面あるいは多角形の複合面とすることも可能である。
【００４０】
そして、前記凸凹面の凹条部とは、前記締付トルク受面２５において雄ねじ２の軸心２３と平行な方向の全域に沿って設けられる凹部のことを意味している。前記凸凹面の凸条部とは、前記締付トルク受面２５において雄ねじ２の軸心２３と平行な方向の全域に沿って設けられる凸部のことを意味している。
【００４１】
前記凸凹面の凹条部は、図３に示すように、内径側領域に配置されていて、前記凸凹面の凸条部は、外径側領域に配置されている。
【００４２】
前記凸凹面の凹条部は、締付トルク１００の入力方向に陥没するように設けられており、平面視において部分円弧形状の曲面とされていて、その曲率半径は任意に設定されるが、例えば多数の円弧を連接した複合曲面あるいは多角形の複合面とすることも可能である。この凹条部の最大凹み部は、内端縁２５ａから外端縁２５ｂまでの全長範囲の中央位置よりも軸心２３寄りに配置されている。
【００４３】
一方、前記凸凹面の凸条部は、締付トルク１００の入力方向と反対向きに突出するように設けられており、平面視において先端に向けて幅狭になっている。この凸条部の突出端つまり外端縁２５ｂは、第１仮想線３００よりも弛緩トルク受面２６側に位置している。前記第１仮想線３００は、雄ねじ２の軸心２３から径方向外向きに真っ直ぐに延びて締付トルク受面２５の内端縁２５ａを通過する線のことである。この凸条部の内径側領域は前記凹条部の曲面と同一曲率で連続する曲面とされている。この凸条部が特許請求の範囲に記載の「凸条部」に相当している。
【００４４】
なお、図３に示すように、前記凸凹面とされる締付トルク受面２５の内端縁２５ａと前記膨出面とされる弛緩トルク受面２６の内端縁２６ａとは、窪み部２４の最深位置のことであり、共に同じ位置に配置されている。
【００４５】
また、弛緩トルク受面２６の外端縁２６ｂ、つまり弛緩トルク受面２６において頭部２２の外周面に連接している位置は、当該弛緩トルク受面２６の内端縁２６ａよりも前記第１仮想線３００から前記弛緩トルク２００の入力方向へ向けて離された位置に配置されている。これにより、弛緩トルク受面２６の内端縁２６ａと外端縁２６ｂとを一直線に結んだ第２仮想線４００が、前記第１仮想線３００に対して所定角度α傾斜されるようになっている。この傾斜角度αは、例えば「窪み部２４の開き角度」とも言う。
【００４６】
また、図２に示す雌ねじ４は、雄ねじ２の頭部２２と同じ外形に形成されているが、以下で詳細に説明する。
【００４７】
この雌ねじ４は、ほぼ円筒形の胴体４１の軸心４３にねじ孔４２が設けられた構成である。図６に示すように、雌ねじ４の外周面の上側角部は丸く面取りされていて、前記外周面の下側は徐々に拡径されたフレア形状とされている。なお、胴体４１が特許請求の範囲に記載の「工具嵌合部」に相当している。
【００４８】
この雌ねじ４の外周面の上側角部において円周方向の数ヶ所（図では８ヶ所）には、図５に示すように、窪み部４４が設けられている。この多数の窪み部４４は、この実施形態において円周方向に等間隔に設けられている。
【００４９】
窪み部４４は、雌ねじ４の外周縁から軸心４３側へ向けて窪むように設けられている。この窪み部４４は、その最深位置から開口へ向けて開くような平面視でほぼＶ字形に形成されている。言い換えると、窪み部４４は、雌ねじ４の軸心４３側から外周縁に向けて漸次幅広となるように形成されている。
【００５０】
この窪み部４４は、雌ねじ４の軸心４３と平行とされる締付トルク受面４５および弛緩トルク受面４６を有している。
【００５１】
締付トルク受面４５は、ソケット３により雌ねじ４を締め付けるときに入力される締付トルク１００を受ける側に配置されている。また、弛緩トルク受面４６は、ソケット３により雌ねじ４を緩めるときに入力される弛緩トルク２００を受ける側に配置されている。
【００５２】
締付トルク受面４５および弛緩トルク受面４６は、締結キット１毎に異なる固有の形状に形成されている。
【００５３】
この実施形態では、すべての締付トルク受面４５が、図５に示すように、凸条部と凹条部とを含む凸凹面とされている。また、すべての弛緩トルク受面４６は、その内端縁４６ａから外端縁４６ｂに向けて膨出する膨出面とされている。
【００５４】
ここで、まず、前記膨出面は、この実施形態において部分円弧形状の曲面とされていて、その曲率半径は任意に設定されるが、例えば多数の円弧を連接した複合曲面あるいは多角形の複合面とすることも可能である。
【００５５】
そして、前記凸凹面の凹条部とは、前記締付トルク受面４５において雌ねじ４の軸心４３と平行な方向の全域に沿って設けられる凹部のことを意味している。前記凸凹面の凸条部とは、前記締付トルク受面４５において雌ねじ４の軸心４３と平行な方向の全域に沿って設けられる凸部のことを意味している。
【００５６】
前記凸凹面の凹条部は、図５に示すように、内径側領域に配置されていて、前記凸凹面の凸条部は、外径側領域に配置されている。
【００５７】
前記凸凹面の凹条部は、締付トルク１００の入力方向に陥没するように設けられており、平面視において部分円弧形状の曲面とされていて、その曲率半径は任意に設定されるが、例えば多数の円弧を連接した複合曲面あるいは多角形の複合面とすることも可能である。この凹条部の最大凹み部は、内端縁４５ａから外端縁４５ｂまでの全長範囲の中央位置よりも軸心４３寄りに配置されている。
【００５８】
一方、前記凸凹面の凸条部は、締付トルク１００の入力方向と反対向きに突出するように設けられており、平面視において先端に向けて幅狭になっている。この凸条部の突出端つまり外端縁４５ｂは、第１仮想線３００よりも弛緩トルク受面４６側に位置している。前記第１仮想線３００は、雌ねじ４の軸心４３から径方向外向きに真っ直ぐに延びて締付トルク受面４５の内端縁４５ａを通過する線のことである。この凸条部の内径側領域は前記凹条部の曲面と同一曲率で連続する曲面とされている。この凸条部が特許請求の範囲に記載の「凸条部」に相当している。
【００５９】
なお、図５に示すように、前記凸凹面とされる締付トルク受面４５の内端縁４５ａと前記膨出面とされる弛緩トルク受面４６の内端縁４６ａとは、窪み部４４の最深位置のことであり、共に同じ位置に配置されている。
【００６０】
また、弛緩トルク受面４６の外端縁４６ｂ、つまり弛緩トルク受面４６において胴体４１の外周面に連接している位置は、当該弛緩トルク受面４６の内端縁４６ａよりも前記第１仮想線３００から前記弛緩トルク２００の入力方向へ向けて離された位置に配置されている。これにより、弛緩トルク受面４６の内端縁４６ａと外端縁４６ｂとを一直線に結んだ第２仮想線４００が、前記第１仮想線３００に対して所定角度α傾斜されるようになっている。この傾斜角度αは、例えば「窪み部４４の開き角度」とも言う。
【００６１】
次に、図１および図２に示すソケット３は、上記雄ねじ２のみおよび上記雌ねじ４のみの締め付け操作ならびに弛緩操作を可能とするための専用工具である。
【００６２】
このソケット３は、丸棒形状の胴体３１の軸方向一端側から軸方向途中までに陥没される穴３２が設けられた構成である。この穴３２は、雄ねじ２の頭部２２および雌ねじ４の外周面に当該雄ねじ２の軸心２３および雌ねじ４の軸心４３に沿う方向に合致した状態で嵌合させることが可能になっている。
【００６３】
穴３２の内周面は、ほぼ円形とされており、その円周方向の数ヶ所（図では８ヶ所）には、図７および図８に示すように、張り出し部３４が設けられている。この多数の張り出し部３４は、この実施形態において円周方向に等間隔に設けられている。
【００６４】
この張り出し部３４は、雄ねじ２の窪み部２４および雌ねじ４の窪み部４４と合致して面接触するような形状に形成されている。具体的には、張り出し部３４は、穴３２の内周面側から軸心３３側へ向けて張り出すように設けられており、その付け根側から先端側へ向けて漸次幅狭となるような平面視でほぼＶ字形に形成されている。
【００６５】
この張り出し部３４は、ソケット３の軸心３３と平行とされる締付トルク伝達面３５および弛緩トルク伝達面３６を有している。
【００６６】
締付トルク伝達面３５は、雄ねじ２および雌ねじ４を締め付けるときに入力される締付トルク１００を雄ねじ２の締付トルク受面２５および雌ねじ４の締付トルク受面４５に伝達する側に配置されている。
【００６７】
また、弛緩トルク伝達面３６は、雄ねじ２および雌ねじ４を緩めるときに入力される弛緩トルク２００を雄ねじ２の弛緩トルク受面２６および雌ねじ４の弛緩トルク受面４６に伝達する側に配置されている。
【００６８】
この実施形態では、すべての締付トルク伝達面３５が雄ねじ２の締付トルク受面２５および雌ねじ４の締付トルク受面４５に合致して面接触するような形状つまり凸凹面とされている。また、すべての弛緩トルク伝達面３６は、雄ねじ２の弛緩トルク受面２６および雌ねじ４の弛緩トルク受面４６に合致して面接触するような形状つまり陥没面とされている。
【００６９】
ここで、まず、前記陥没面は、この実施形態において雄ねじ２の弛緩トルク受面２６および雌ねじ４の弛緩トルク受面４６の膨出面を反転させたような部分円弧形状の曲面とされていて、その曲率半径は任意に設定されるが、例えば多数の円弧を連接した複合曲面あるいは多角形の複合面とすることも可能である。
【００７０】
そして、前記凸凹面の凹条部とは、前記締付トルク伝達面３５においてソケット３の軸心３３と平行な方向の全域に沿って設けられる凹部のことを意味している。前記凸凹面の凸条部とは、前記締付トルク伝達面３５においてソケット３の軸心３３と平行な方向の全域に沿って設けられる凸部のことを意味している。
【００７１】
前記凸凹面の凸条部は、図７に示すように、内径側領域に配置されていて、前記凸凹面の凹条部は、外径側領域に配置されている。
【００７２】
前記凸凹面の凸条部は、締付トルク１００の入力方向に突出するように設けられており、平面視において雄ねじ２の締付トルク受面２５および雌ねじ４の締付トルク受面４５の凹条部を反転させたような部分円弧形状の曲面とされていて、その曲率半径は任意に設定されるが、例えば多数の円弧を連接した複合曲面あるいは多角形の複合面とすることも可能である。この凸条部の最大突出部は、内端縁３５ａから外端縁３５ｂまでの全長範囲の中央位置よりも軸心３３寄りに配置されている。
【００７３】
一方、前記凸凹面の凹条部は、平面視において雄ねじ２の締付トルク受面２５および雌ねじ４の締付トルク受面４５の凸条部を反転させたような形状とされており、締付トルク１００の入力方向と反対向きに陥没するように設けられている。この凹条部の底つまり締付トルク伝達面３５の外端縁４５ｂは、第３仮想線５００よりも弛緩トルク受面４６側に位置している。前記第３仮想線５００は、ソケット３の軸心３３から径方向外向きに真っ直ぐに延びて締付トルク伝達面３５の内端縁３５ａを通過する線のことである。
【００７４】
なお、図７に示すように、前記凸凹面からなる締付トルク伝達面３５の内端縁３５ａと前記陥没面からなる弛緩トルク伝達面３６の内端縁３６ａとは、張り出し部３４の先端のことであり、共に同じ位置に配置されている。
【００７５】
また、弛緩トルク伝達面３６の外端縁３６ｂ、つまり弛緩トルク伝達面３６において穴３２の内周面に連接している位置は、当該弛緩トルク伝達面３６の内端縁３６ａよりも前記第３仮想線５００から前記弛緩トルク２００の入力方向へ向けて離された位置に配置されている。これにより、弛緩トルク伝達面３６の内端縁３６ａと外端縁３６ｂとを一直線に結んだ第４仮想線６００が、前記第３仮想線５００に対して所定角度β傾斜されるようになっている。
【００７６】
このようなソケット３であれば、当該ソケット３を上記雄ねじ２または雌ねじ４に嵌合して締め付け操作すると、当該締め付け操作に伴い入力される締付トルク１００がソケット３の締付トルク伝達面３５から雄ねじ２の締付トルク受面２５または雌ねじ４の締付トルク受面４５に伝達されることになるので、雄ねじ２または雌ねじ４を所定部位にねじ込むことが可能になる。
【００７７】
この後、前記螺合している雄ねじ２または雌ねじ４を緩めて取り外すには、当該雄ねじ２または雌ねじ４に上記ソケット３を嵌合して弛緩操作すると、当該弛緩操作に伴い入力される弛緩トルク２００がソケット３の弛緩トルク伝達面３６から雄ねじ２の弛緩トルク受面２６または雌ねじ４の弛緩トルク受面４６に伝達されることになるので、雄ねじ２または雌ねじ４がねじ戻されることになって、取り外される。
【００７８】
以上説明したように、雄ねじ２の窪み部２４および雌ねじ４の窪み部４４を、本発明に係る締結キット１毎に異なる固有形状にしていて、それの締め付け時および弛緩時に用いるソケット３についても当該雄ねじ２のみまたは雌ねじ４のみに嵌合する形状にしているから、本発明に係る締結キット１を量産して販売する場合には、締結キット１それぞれが互いに異なる物になる。
【００７９】
これにより、本発明に係る締結キット１を多数の人がそれぞれ購入したとしても、ある購入者が購入した雄ねじ２または雌ねじ４を適宜部位に螺合装着している状況において、前記購入者とは異なる第三者が購入したソケット３を用いても、当該ソケット３の穴３２を前記雄ねじ２の頭部２２または雌ねじ４の外周面に嵌合させることができない。そのため、当該雄ねじ２または雌ねじ４を緩めて取り外すことができなくなる。
【００８０】
言い換えると、前記雄ねじ２または雌ねじ４を適宜部位に螺合装着した場合には、当該装着した人が所有するソケット３でしか前記雄ねじ２または雌ねじ４を緩めて取り外すことができないのである。仮に、図示していないが、前記締結キット１を適宜場所（例えば車両）に対する適宜部材（例えばナンバープレート）の取り付けに利用する場合には、前記適宜部材の盗難を防止する率を高めることが可能になり、また、前記締結キット１を例えば開閉部材（貴重品棚ならびに電子回路収納庫の扉など）を閉塞状態でロックする際に利用する場合には、この開閉部材の意図せぬ開放を防止する率を高めることが可能になるなど、防犯率を高めることに貢献できるようになる。
【００８１】
また、上記実施形態では、凸凹面とされる締付トルク受面２５，４５や膨出面とされる弛緩トルク受面２６，４６が比較的容易に加工可能な形状とされているから、それらの製造コストの上昇を抑制することが可能になる。
【００８２】
特に、上記実施形態で示した雄ねじ２の弛緩トルク受面２６および雌ねじ４の弛緩トルク受面４６を傾斜した膨出面に形成しているので、前記ソケット３以外の工具、例えば一般的なプライヤー（図示省略）を用いても緩めて取り外すことができなくなる。
【００８３】
具体的に、図示していないが、仮に前記プライヤーで前記雄ねじ２および雌ねじ４を緩めて取り外す場合には、雄ねじ２の傾斜した膨出面からなる弛緩トルク受面２６および雌ねじ４の傾斜した膨出面からなる弛緩トルク受面４６のみに前記プライヤーの顎先を当接させて弛緩トルク２００を入力するように操作することが想定される。その場合には、当該弛緩トルク受面２６，４６がプライヤーの顎先を滑らせるように作用することになるために、前記弛緩トルク受面２６，４６に弛緩トルク２００を入力することができなくなる。このような理由により、前記プライヤーを用いても前記雄ねじ２および雌ねじ４を緩めて取り外すことができなくなるのである。
【００８４】
なお、本発明は、上記実施形態のみに限定されるものではなく、特許請求の範囲内および当該範囲と均等の範囲内で適宜に変更することが可能である。
【００８５】
（１）上記実施形態では、雄ねじ２とソケット３とを組み合わせたタイプの締結キット１や、雌ねじ４とソケット３とを組み合わせたタイプの締結キット１を示しているが、本発明はこれのみに限定されるものではなく、例えば雄ねじ２と雌ねじ４とソケット３とを組み合わせたタイプの締結キットとすることが可能である。
【００８６】
（２）上記実施形態では、雄ねじ２の窪み部２４および雌ねじ４の窪み部４４を円周方向の等間隔に配置した例を挙げているが、本発明はこれのみに限定されるものではなく、例えば円周方向に不等間隔に配置することが可能である。
【００８７】
（３）上記実施形態では、雄ねじ２の窪み部２４および雌ねじ４の窪み部４４を偶数個にした例を挙げているが、本発明はこれのみに限定されるものではなく、例えば奇数個にすることが可能である。
【００８８】
（４）上記実施形態において、雄ねじ２の多数の窪み部２４および雌ねじ４の多数の窪み部４４の１つずつまたは適宜数をそれぞれ異なる固有の形状（上記各実施形態、および下記各実施形態参照）にすることが可能である。このように、多数の窪み部２４，４４個々の形状をいろいろ変更することによって、それぞれ異なる固有の締結キット１の製造数を可及的に多くすることが可能になる。
【００８９】
（５）上記実施形態において、雄ねじ２の締付トルク受面２５それぞれの形状および雌ねじ４の締付トルク受面４５それぞれの形状を、例えばサインカーブ１周期分のような複合曲面にすることが可能である。
【００９０】
例えば図９には、雄ねじ２の締付トルク受面２５それぞれの形状をサインカーブ１周期分のような形状の複合曲面にした例を示している。この例は、請求項７に記載している技術思想に含まれる。
【００９１】
なお、前記サインカーブ１周期分のような複合曲面とは、締付トルク受面２５の径方向における内径側半分領域が締付トルク１００の入力方向へ向けて凹む凹条部とされ、かつ締付トルク受面２５の径方向における外径側半分領域が締付トルク１００の入力方向と反対向きに突出する凸条部とされたもののことである。これら凹条部および凸条部は、部分円弧形状とされており、その曲率半径は適宜に設定されるが、例えば多数の円弧を連接した複合曲面あるいは多角形の複合面とすることも可能である。
【００９２】
言うまでもないが、このような形状の雄ねじ２と組み合わされるソケット３の穴３２の形状は雄ねじ２に合致した状態で嵌合する形状とされる。このような構成の場合においても上記実施形態と同様の作用、効果が得られる。
【００９３】
（６）上記実施形態において、雄ねじ２の締付トルク受面２５それぞれの形状および雌ねじ４の締付トルク受面４５それぞれの形状を、例えば波打ち形状にすることが可能である。
【００９４】
例えば図１０には、雄ねじ２の締付トルク受面２５の径方向における内径寄り約１／３領域および外径寄り約１／３領域を締付トルク１００の入力方向へ向けて凹む凹条部とし、締付トルク受面２５の径方向における中間約１／３領域を締付トルク１００の入力方向と反対向きに突出する凸条部とした例を示している。この例は、請求項７に記載している技術思想に含まれる。
【００９５】
なお、前記凹条部は、部分円弧形状にされていて、その曲率半径は適宜に設定される。また、前記凸条部は、平面視において先端に向けて幅狭になっており、第１仮想線３００よりも弛緩トルク受面２６側に突出している。前記第１仮想線３００は、雄ねじ２の軸心２３から径方向外向きに真っ直ぐに延びて締付トルク受面２５の内端縁２５ａを通過する線のことである。
【００９６】
言うまでもないが、このような形状の雄ねじ２と組み合わされるソケット３の穴３２の形状は雄ねじ２に合致した状態で嵌合する形状とされる。このような構成の場合においても上記実施形態と同様の作用、効果が得られる。
【００９７】
（７）上記実施形態において、雄ねじ２の締付トルク受面２５それぞれの形状および雌ねじ４の締付トルク受面４５それぞれの形状を、例えば鋸刃形状にすることが可能である。
【００９８】
例えば図１１には、雄ねじ２の締付トルク受面２５の径方向における内径寄り約１／３領域および外径寄り約１／３領域を締付トルク１００の入力方向へ向けて凹む凹条部とし、締付トルク受面２５の径方向における中間約１／３領域を締付トルク１００の入力方向と反対向きに突出する凸条部とした例を示している。この例は、請求項７に記載している技術思想に含まれる。
【００９９】
なお、前記凹条部は、平面視において深さ方向に向けて幅狭になるＶ字形とされている。また、前記凸条部は、平面視において先端に向けて幅狭になるＶ字形とされており、第１仮想線３００よりも弛緩トルク受面２６側に突出している。前記第１仮想線３００は、雄ねじ２の軸心２３から径方向外向きに真っ直ぐに延びて締付トルク受面２５の内端縁２５ａを通過する線のことである。
【０１００】
言うまでもないが、このような形状の雄ねじ２と組み合わされるソケット３の穴３２の形状は雄ねじ２に合致した状態で嵌合する形状とされる。このような構成の場合においても上記実施形態と同様の作用、効果が得られる。
【０１０１】
（８）図１２には、図９に示した例に関連する例を示している。この例では、雄ねじ２におけるすべての締付トルク受面２５に１つの凸条部２７と１つの凹条部２８とを並んで設けているとともに、弛緩トルク受面２６に１つの凹条部２８を設けている。この例は、請求項６，７に記載している技術思想に含まれる。
【０１０２】
具体的に、締付トルク受面２５の凸条部２７は、その突出方向先端へ向けて先鋭となる平面視ほぼ三角形にされている。締付トルク受面２５の凹条部２８は、締付トルク１００の入力方向へ向けて丸みを持って凹む形状とされている。弛緩トルク受面２６の凹条部２８は、内端縁２６ａから外端縁２６ｂへ向かう途中位置までの領域（二点鎖線参照）を径方向内向きに後退させた形状とされている。
【０１０３】
言うまでもないが、このような形状の雄ねじ２と組み合わされるソケット３の穴３２の形状は雄ねじ２に合致した状態で嵌合する形状とされる。このような構成においても上記実施形態と同様の作用、効果が得られる。
【０１０４】
（９）図１３には、さらに他例を示している。この例では、雄ねじ２におけるいずれか１つの締付トルク受面２５に１つの凸条部２７と１つの凹条部２８とを並んで設けているとともに、弛緩トルク受面２６に１つの凸条部２７を設けている。この例は、請求項６，７に記載している技術思想に含まれる。
【０１０５】
具体的に、締付トルク受面２５の凹条部２８は、締付トルク受面２５の外径側半分領域（ハッチング参照）に締付トルク１００の入力方向へ向けて凹むように設けられている。締付トルク受面２５の凸条部２７は、締付トルク受面２５の内径側半分領域（クロスハッチング参照）に締付トルク１００の入力方向と反対向き（弛緩トルク２００の入力方向）に突出するように設けられている。弛緩トルク受面２６の凸条部２７は、弛緩トルク受面２６の内端縁２６ａから外端縁２６ｂまでの途中（ドット模様参照）に径方向外向きに突出するように設けられている。
【０１０６】
言うまでもないが、このような形状の雄ねじ２と組み合わされるソケット３の穴３２の形状は雄ねじ２に合致した状態で嵌合する形状とされる。このような構成においても上記実施形態と同様の作用、効果が得られる。
【０１０７】
（１０）図１４には、さらに他例を示している。この例では、雄ねじ２におけるいずれか１つの締付トルク受面２５に１つの凸条部２７を設けて、弛緩トルク受面２６に１つの凹条部２８を設けている。この例は、請求項５に記載している技術思想に含まれる。
【０１０８】
具体的に、凸条部２７は、締付トルク受面２５の径方向の全域に、締付トルク１００の入力方向と反対向き（弛緩トルク２００の入力方向）に突出する形状とされている。この凸条部２７は、部分円弧形状の曲面とされていて、その曲率半径は任意に設定されている。凹条部２８は、弛緩トルク受面２６の内端縁２６ａと外端縁２６ｂとの間の所定領域に径方向内向きに凹む形状とされている。
【０１０９】
このように、前記締付トルク受面２５の全範囲に部分円弧形状の曲面からなる凸条部２７を設けている場合、当該凸条部２７の最大突出部は、内端縁２５ａから外端縁２５ｂまでの全長範囲の中央位置に配置される。但し、前記最大突出部の位置は、前記記載に限定されない。
【０１１０】
言うまでもないが、このような形状の雄ねじ２と組み合わされるソケット３の穴３２の形状は雄ねじ２に合致した状態で嵌合する形状とされる。このような構成においても上記実施形態と同様の作用、効果が得られる。
【０１１１】
（１１）図１５には、図１４に示した例に関連する例を示している。この例では、雄ねじ２におけるいずれか１つの締付トルク受面２５に１つの凸条部２７を設けて、弛緩トルク受面２６に１つの凹条部２８を設けている。この例は、請求項５に記載している技術思想に含まれる。
【０１１２】
つまり、凸条部２７は、締付トルク受面２５の径方向の中間領域に、締付トルク１００の入力方向と反対向き（弛緩トルク２００の入力方向）に突出する形状とされている。この凸条部２７は、部分円弧形状の曲面とされていて、その曲率半径は任意に設定されている。凹条部２８は、弛緩トルク受面２６の内端縁２６ａから外端縁２６ｂの手前の所定領域に径方向内向きに凹む形状とされている。
【０１１３】
言うまでもないが、このような形状の雄ねじ２と組み合わされるソケット３の穴３２の形状は雄ねじ２に合致した状態で嵌合する形状とされる。
【０１１４】
次に、下記（１２）〜（２１）に、本発明に含まれる凸条部２７および凹条部２８の配置例の一部について説明する。この説明で引用する図には、凸条部２７および凹条部２８の形状を限定されないように簡易に記載している。
【０１１５】
（１２）図１６Ａ，Ｂ，Ｃおよび図１７Ａ，Ｂ，Ｃには、図３、図９と関連する例を示している。この例は、請求項７に記載している技術思想に含まれる。
【０１１６】
つまり、例えば図１６Ａの（ａ）に示すように、雄ねじ２におけるいずれか１つの締付トルク受面２５に１つの凸条部２７と１つの凹条部２８とを１組として設置し、図１６Ａ（ｂ），（ｃ）〜図１６Ｂ，Ｃに示すように、前記１組の凸条部２７および凹条部２８の設置対象となる締付トルク受面２５の数を反時計回り方向に１つずつ増やすことが考えられる。
【０１１７】
具体的に、図１６Ａの（ａ）には、前記１組の凸条部２７および凹条部２８の設置対象を複数（例えば８個）の締付トルク受面２５のうちの１つにした例が示されている。図１６Ａの（ｂ）には、前記１組の凸条部２７および凹条部２８の設置対象を複数の締付トルク受面２５のうちの２つにした例が示されている。図１６Ａの（ｃ）には、前記１組の凸条部２７および凹条部２８の設置対象を複数の締付トルク受面２５のうちのいずれか３つにした例が示されている。図１６Ｂの（ｄ）には、前記１組の凸条部２７および凹条部２８の設置対象を複数の締付トルク受面２５のうちのいずれか４つにした例が示されている。図１６Ｂの（ｅ）には、前記１組の凸条部２７および凹条部２８の設置対象を複数の締付トルク受面２５のうちのいずれか５つにした例が示されている。図１６Ｃの（ｆ）には、前記１組の凸条部２７および凹条部２８の設置対象を複数の締付トルク受面２５のうちのいずれか６つにした例が示されている。図１６Ｃの（ｇ）には、前記１組の凸条部２７および凹条部２８の設置対象を複数の締付トルク受面２５のうちのいずれか７つにした例が示されている。
【０１１８】
また、図１６Ａの（ｂ）に示すように前記１組の凸条部２７および凹条部２８の設置対象を総数８個の締付トルク受面２５のうちの２つにする例については、図１７Ａの（ａ）に示す例も考えられる。図１６Ａの（ｃ）に示すように前記１組の凸条部２７および凹条部２８の設置対象を総数８個の締付トルク受面２５のうちの３つにする例については、図１７Ａの（ｂ）に示す例も考えられる。図１６Ｂの（ｄ）に示すように前記１組の凸条部２７および凹条部２８の設置対象を総数８個の締付トルク受面２５のうちの４つにする例については、図１７Ａの（ｃ）および図１７Ｂの（ｅ）に示す例も考えられる。図１６Ｂの（ｅ）に示すように前記１組の凸条部２７および凹条部２８の設置対象を総数８個の締付トルク受面２５のうちの５つにする例については、図１７Ｂの（ｄ）および図１７Ｃの（ｆ）に示す例も考えられる。図１６（ｆ）に示すように前記１組の凸条部２７および凹条部２８の設置対象を総数８個の締付トルク受面２５のうちの６つにする例については、図１７Ｃの（ｇ）に示す例も考えられる。
【０１１９】
言うまでもないが、このような形状の雄ねじ２と組み合わされるソケット３の穴３２の形状は雄ねじ２に合致した状態で嵌合する形状とされる。
【０１２０】
なお、凸条部２７および凹条部２８の形状は、図３、図９に示す例と同じであってもよいが、任意の形状とすることが可能である。この凸条部２７および凹条部２８の形状をいろいろ変更することによって、固有の締結キット１をさらに増やすことができる。
【０１２１】
（１３）図１８Ａ，Ｂ，Ｃには、図１４、図１５に示す例から発展させた例を示している。この例は、請求項５に記載している技術思想に含まれる。
【０１２２】
つまり、例えば図１４または図１５に示しているように、いずれか１つの窪み部２４の締付トルク受面２５に凸条部２７を１つ設け、前記と同じ窪み部２４の弛緩トルク受面２６に凹条部２８を１つ設ける例を基準としたとき、図１８Ａ，Ｂ，Ｃに示すように、前記凸条部２７の設置位置を固定したまま変えずに、前記凹条部２８の設置位置を反時計回り方向に１つずつずらすことが考えられる。
【０１２３】
言うまでもないが、このような形状の雄ねじ２と組み合わされるソケット３の穴３２の形状は雄ねじ２に合致した状態で嵌合する形状とされる。
【０１２４】
なお、凸条部２７および凹条部２８の形状は、図１４または図１５に示す例と同じであってもよいが、任意の形状とすることが可能である。また、締付トルク受面２５に対する凸条部２７の設置位置および弛緩トルク受面２６に対する凹条部２８の設置位置は、任意とすることが可能である。そのため。凸条部２７および凹条部２８の形状ならびに設置位置をいろいろ変更することによって、固有の締結キット１をさらに増やすことができる。
【０１２５】
（１４）図１９Ａ，Ｂ，Ｃおよび図２０Ａ，Ｂには、図１４、図１５に示す例から発展させた例を示している。この例は、請求項５に記載している技術思想に含まれる。
【０１２６】
つまり、例えば図１４または図１５に示しているように、いずれか１つの窪み部２４の締付トルク受面２５に凸条部２７を１つ設け、前記と同じ窪み部２４の弛緩トルク受面２６に凹条部２８を１つ設ける例を基準とし、当該１つの凸条部２７および１つの凹条部２８を１組としたときに、図１９Ａ，Ｂ，Ｃに示すように、前記１組の凸条部２７および凹条部２８の設置対象となる窪み部２４の数を反時計回り方向に１つずつ増やすことが考えられる。
【０１２７】
具体的に、図１９Ａの（ａ）には、前記１組の凸条部２７および凹条部２８の設置対象を総数８個の窪み部２４のうちの２つにした例が示されている。図１９Ａの（ｂ）には、前記１組の凸条部２７および凹条部２８の設置対象を総数８個の窪み部２４のうちの３つにした例が示されている。図１９Ａの（ｃ）には、前記１組の凸条部２７および凹条部２８の設置対象を総数８個の窪み部２４のうちの４つにした例が示されている。図１９Ｂの（ｄ）には、前記１組の凸条部２７および凹条部２８の設置対象を総数８個の窪み部２４のうちの５つにした例が示されている。図１９Ｂの（ｅ）には、前記１組の凸条部２７および凹条部２８の設置対象を総数８個の窪み部２４のうちの６つにした例が示されている。図１９Ｃの（ｆ）には、前記１組の凸条部２７および凹条部２８の設置対象を総数８個の窪み部２４のうちの７つにした例が示されている。図１９Ｃの（ｇ）には、前記１組の凸条部２７および凹条部２８の設置対象を総数８個の窪み部２４のすべてにした例が示されている。
【０１２８】
また、図１９Ａの（ａ）に示すように前記１組の凸条部２７および凹条部２８の設置対象を総数８個の窪み部２４のうちの２つにする例については、図２０Ａの（ａ）〜（ｃ）に示す例も考えられる。図１９Ａの（ｂ）に示すように前記１組の凸条部２７および凹条部２８の設置対象を総数８個の窪み部２４のうちの３つにする例については、図２０Ｂの（ｄ）に示す例も考えられる。図１９Ａの（ｃ）に示すように前記１組の凸条部２７および凹条部２８の設置対象を総数８個の窪み部２４のうちの４つにする例については、図２０Ｂの（ｅ）に示す例も考えられる。図１９Ｂの（ｅ）に示すように前記１組の凸条部２７および凹条部２８の設置対象を総数８個の窪み部２４のうちの６つにする例については、図２０Ｂの（ｆ）に示す例も考えられる。
【０１２９】
言うまでもないが、このような形状の雄ねじ２と組み合わされるソケット３の穴３２の形状は雄ねじ２に合致した状態で嵌合する形状とされる。
【０１３０】
なお、凸条部２７および凹条部２８の形状は、図１４または図１５に示す例と同じであってもよいが、任意の形状とすることが可能である。また、締付トルク受面２５に対する凸条部２７の設置位置および弛緩トルク受面２６に対する凹条部２８の設置位置は、任意とすることが可能である。そのため。凸条部２７および凹条部２８の形状ならびに設置位置をいろいろ変更することによって、固有の締結キット１をさらに増やすことができる。
【０１３１】
（１５）図２１Ａ，Ｂ，Ｃには、図１８Ａ，Ｂ，Ｃに示している凸条部２７と凹条部２８とを反対に設置した例を示している。この例は、請求項６に記載している技術思想に含まれる。
【０１３２】
つまり、図２１Ａの（ａ）に示しているように、いずれか１つの窪み部２４の締付トルク受面２５に凹条部２８を１つ設け、前記と同じ窪み部２４の弛緩トルク受面２６に凸条部２７を１つ設ける例を基準としたときに、図２１Ａの（ｂ），（ｃ）および図２１Ｂ，Ｃに示すように、前記凹条部２８の設置位置を固定したまま変えずに、前記凸条部２７の設置位置を反時計回り方向に１つずつずらすことが考えられる。
【０１３３】
言うまでもないが、このような形状の雄ねじ２と組み合わされるソケット３の穴３２の形状は雄ねじ２に合致した状態で嵌合する形状とされる。
【０１３４】
なお、前記凸条部２７および凹条部２８の形状は、任意であり、また、締付トルク受面２５に対する凹条部２８の設置位置および弛緩トルク受面２６に対する凸条部２７の設置位置は、任意である。そのため、前記凸条部２７および凹条部２８の形状ならびに設置位置をいろいろ変更することによって、固有の締結キット１をさらに増やすことができる。
【０１３５】
（１６）図２２Ａ，Ｂ，Ｃおよび図２３Ａ，Ｂには、図２１Ａの（ａ）に示す例から発展させた例を示している。この例は、請求項６に記載している技術思想に含まれる。
【０１３６】
つまり、図２１Ａの（ａ）に示しているように、いずれか１つの窪み部２４の締付トルク受面２５に凹条部２８を１つ設け、前記と同じ窪み部２４の弛緩トルク受面２６に凸条部２７を１つ設ける例を基準とし、当該１つの凹条部２８および１つの凸条部２７を１組としたときに、図２２Ａ，Ｂ，Ｃに示すように、前記１組の凹条部２８および凸条部２７の設置対象となる窪み部２４の数を反時計回り方向に１つずつ増やすことが考えられる。
【０１３７】
具体的に、図２２Ａの（ａ）には、前記１組の凹条部２８および凸条部２７の設置対象を総数８個の窪み部２４のうちの２つにした例が示されている。図２２Ａの（ｂ）には、前記１組の凹条部２８および凸条部２７の設置対象を総数８個の窪み部２４のうちの３つにした例が示されている。図２２Ａの（ｃ）には、前記１組の凹条部２８および凸条部２７の設置対象を総数８個の窪み部２４のうちの４つにした例が示されている。図２２Ｂの（ｄ）には、前記１組の凹条部２８および凸条部２７の設置対象を総数８個の窪み部２４のうちの５つにした例が示されている。図２２Ｂの（ｅ）には、前記１組の凹条部２８および凸条部２７の設置対象を総数８個の窪み部２４のうちの６つにした例が示されている。図２２Ｃの（ｆ）には、前記１組の凹条部２８および凸条部２７の設置対象を総数８個の窪み部２４のうちの７つにした例が示されている。図２２Ｃの（ｇ）には、前記１組の凹条部２８および凸条部２７の設置対象を総数８個の窪み部２４のすべてに設置した例が示されている。
【０１３８】
また、図２２Ａの（ａ）に示すように前記１組の凹条部２８および凸条部２７の設置対象を総数８個の窪み部２４のうちの２つにする例については、図２３Ａの（ａ）〜（ｃ）に示す例も考えられる。図２２Ａの（ｂ）に示すように前記１組の凹条部２８および凸条部２７の設置対象を総数８個の窪み部２４のうちの３つにする例については、図２３Ｂの（ｄ）に示す例も考えられる。図２２Ａの（ｃ）に示すように前記１組の凹条部２８および凸条部２７の設置対象を総数８個の窪み部２４のうちの４つにする例については、図２３Ｂの（ｅ）に示す例も考えられる。図２２Ｂの（ｅ）に示すように前記１組の凹条部２８および凸条部２７の設置対象を総数８個の窪み部２４のうちの６つにする例については、図２３Ｂの（ｆ）に示す例も考えられる。
【０１３９】
言うまでもないが、このような形状の雄ねじ２と組み合わされるソケット３の穴３２の形状は雄ねじ２に合致した状態で嵌合する形状とされる。
【０１４０】
なお、前記凹条部２８および凸条部２７の形状は、任意であり、また、締付トルク受面２５に対する凹条部２８の設置位置および弛緩トルク受面２６に対する凸条部２７の設置位置は、任意である。そのため、前記凹条部２８および凸条部２７の形状ならびに設置位置をいろいろ変更することによって、固有の締結キット１をさらに増やすことができる。
【０１４１】
（１７）図２４Ａ，Ｂ，Ｃおよび図２５Ａ，Ｂには、複数の弛緩トルク受面２６のうちの少なくとも１つに、凸条部２７と凹条部２８とを１つずつ設けた例が示されている。この図示例では、弛緩トルク受面２６の内端縁２６ａ寄りに凹条部２８を配置して、外端縁２６ｂ寄りに凸条部２７を配置している。なお、前記１つの凸条部２７および前記１つの凹条部２８を１組とする。この例は、請求項８に記載している技術思想に含まれる。
【０１４２】
つまり、図２４Ａ，Ｂ，Ｃでは、前記１組の凹条部２８および凸条部２７の設置対象となる弛緩トルク受面２６の数を反時計回り方向に１つずつ増やすようにしている。
【０１４３】
具体的に、図２４Ａの（ａ）には、前記１組の凹条部２８および凸条部２７の設置対象を総数８個の弛緩トルク受面２６のうちの１つにした例が示されている。図２４Ａの（ｂ）には、前記１組の凹条部２８および凸条部２７の設置対象を総数８個の弛緩トルク受面２６のうちの２つにした例が示されている。図２４Ａの（ｃ）には、前記１組の凹条部２８および凸条部２７の設置対象を総数８個の弛緩トルク受面２６のうちの３つにした例が示されている。図２４Ｂの（ｄ）には、前記１組の凹条部２８および凸条部２７の設置対象を総数８個の弛緩トルク受面２６のうちの４つにした例が示されている。図２４Ｂの（ｅ）には、前記１組の凹条部２８および凸条部２７の設置対象を総数８個の弛緩トルク受面２６のうちの５つにした例が示されている。図２４Ｂの（ｆ）には、前記１組の凹条部２８および凸条部２７の設置対象を総数８個の弛緩トルク受面２６のうちの６つにした例が示されている。図２４Ｃの（ｇ）には、前記１組の凹条部２８および凸条部２７の設置対象を総数８個の弛緩トルク受面２６のうちの７つにした例が示されている。図２４Ｃの（ｈ）には、前記１組の凹条部２８および凸条部２７の設置対象を総数８個の弛緩トルク受面２６のすべてにした例が示されている。
【０１４４】
また、図２４Ａの（ｂ）に示すように前記１組の凹条部２８および凸条部２７の設置対象を総数８個の弛緩トルク受面２６のうちの２つにする例については、図２５Ａの（ａ）〜（ｃ）に示す例も考えられる。図２４Ｂの（ｄ）に示すように前記１組の凹条部２８および凸条部２７の設置対象を総数８個の弛緩トルク受面２６のうちの４つにする例については、図２５Ｂの（ｄ），（ｅ）に示す例も考えられる。図２４Ｂの（ｆ）に示すように前記１組の凹条部２８および凸条部２７の設置対象を総数８個の弛緩トルク受面２６のうちの６つにする例については、図２５Ｂの（ｆ）に示す例も考えられる。
【０１４５】
言うまでもないが、このような形状の雄ねじ２と組み合わされるソケット３の穴３２の形状は雄ねじ２に合致した状態で嵌合する形状とされる。
【０１４６】
なお、前記凹条部２８および凸条部２７の形状は、任意であり、また、弛緩トルク受面２６に対する凹条部２８および凸条部２７の各設置位置は、任意である。そのため、前記凹条部２８および凸条部２７の形状ならびに設置位置をいろいろ変更することによって、固有の締結キット１をさらに増やすことができる。
【０１４７】
（１８）図２６Ａ，Ｂ，Ｃおよび図２７Ａ，Ｂには、図２４Ａ，Ｂ，Ｃおよび図２５Ａ，Ｂに示している凹条部２８と凸条部２７とを反対に設置した例を示している。この図示例では、弛緩トルク受面２６の内端縁２６ａ寄りに凸条部２７を配置して、外端縁２６ｂ寄りに凹条部２８を配置している。なお、１つの凹条部２８および１つの凸条部２７を１組とする。この例は、請求項８に記載している技術思想に含まれる。
【０１４８】
つまり、図２６Ａ，Ｂ，Ｃでは、前記１組の凸条部２７および凹条部２８の設置対象となる弛緩トルク受面２６の数を反時計回り方向に１つずつ増やすようにしている。
【０１４９】
具体的に、図２６Ａの（ａ）には、前記１組の凸条部２７および凹条部２８の設置対象を総数８個の弛緩トルク受面２６のうちの１つにした例が示されている。図２６Ａの（ｂ）には、前記１組の凸条部２７および凹条部２８の設置対象を総数８個の弛緩トルク受面２６のうちの２つにした例が示されている。図２６Ａの（ｃ）には、前記１組の凸条部２７および凹条部２８の設置対象を総数８個の弛緩トルク受面２６のうちの３つにした例が示されている。図２６Ｂの（ｄ）には、前記１組の凸条部２７および凹条部２８の設置対象を総数８個の弛緩トルク受面２６のうちの４つにした例が示されている。図２６Ｂの（ｅ）には、前記１組の凸条部２７および凹条部２８の設置対象を総数８個の弛緩トルク受面２６のうちの５つにした例が示されている。図２６Ｂの（ｆ）には、前記１組の凸条部２７および凹条部２８の設置対象を総数８個の弛緩トルク受面２６のうちの６つにした例が示されている。図２６Ｃの（ｇ）には、前記１組の凸条部２７および凹条部２８の設置対象を総数８個の弛緩トルク受面２６のうちの７つにした例が示されている。図２６Ｃの（ｈ）には、前記１組の凸条部２７および凹条部２８の設置対象を総数８個の弛緩トルク受面２６のすべてにした例が示されている。
【０１５０】
また、図２６Ａの（ｂ）に示すように前記１組の凸条部２７および凹条部２８の設置対象を総数８個の弛緩トルク受面２６のうちの２つにする例については、図２７Ａの（ａ）〜（ｃ）に示す例も考えられる。図２６Ａの（ｃ）に示すように前記１組の凸条部２７および凹条部２８の設置対象を総数８個の弛緩トルク受面２６のうちの３つにする例については、図２７Ｂの（ｄ）に示す例も考えられる。図２６Ｂの（ｄ）に示すように前記１組の凸条部２７および凹条部２８の設置対象を総数８個の弛緩トルク受面２６のうちの４つにする例については、図２７Ｂの（ｅ）に示す例も考えられる。図２６Ｂの（ｆ）に示すように前記１組の凸条部２７および凹条部２８の設置対象を総数８個の弛緩トルク受面２６のうちの６つにする例については、図２７Ｂの（ｆ）に示す例も考えられる。
【０１５１】
言うまでもないが、このような形状の雄ねじ２と組み合わされるソケット３の穴３２の形状は雄ねじ２に合致した状態で嵌合する形状とされる。
【０１５２】
なお、前記凸条部２７および凹条部２８の形状は、任意であり、また、弛緩トルク受面２６に対する凸条部２７および凹条部２８の各設置位置は、任意である。そのため、前記凸条部２７および凹条部２８の形状ならびに設置位置をいろいろ変更することによって、固有の締結キット１をさらに増やすことができる。
【０１５３】
（１９）図２８Ａ，Ｂ，Ｃには、複数の弛緩トルク受面２６のうちの少なくとも１つの内端縁２６ａから外端縁２６ｂへ向けて順に、凹条部２８と凸条部２７と凹条部２８と凸条部２７とを配置した例が示されている。なお、内端縁２６ａに近い凹条部２８と凸条部２７とを１組とし、内端縁２６ａから遠い残りの凹条部２８と凸条部２７とを１組とする。この例は、請求項８に記載している技術思想に含まれる。
【０１５４】
具体的に、図２８Ａの（ａ）には、前記２組の凹条部２８および凸条部２７の設置対象を総数８個の弛緩トルク受面２６のうちの１つにした例が示されている。図２８Ａの（ｂ）には、前記２組の凹条部２８および凸条部２７の設置対象を総数８個の弛緩トルク受面２６のうちの隣り合う２つにした例が示されている。図２８Ａの（ｃ）には、前記２組の凹条部２８および凸条部２７の設置対象を総数８個の弛緩トルク受面２６のうちの１つおきの２つにした例が示されている。図２８Ｂの（ｄ）には、前記２組の凹条部２８および凸条部２７の設置対象を総数８個の弛緩トルク受面２６のうちの２つおきの２つにした例が示されている。図２８Ｂの（ｅ）には、前記２組の凹条部２８および凸条部２７の設置対象を総数８個の弛緩トルク受面２６のうちの３つおきの２つにした例が示されている。
【０１５５】
また、図２８Ｃの（ｆ）には、前記２組の凹条部２８および凸条部２７の設置対象を総数８個の弛緩トルク受面２６のうちの３つにした例が示されており、図２８Ｃの（ｇ）には、前記２組の凹条部２８および凸条部２７の設置対象を総数８個の弛緩トルク受面２６のうちの４つにした例が示されており、図２８Ｃの（ｈ）には、前記２組の凹条部２８および凸条部２７の設置対象を総数８個の弛緩トルク受面２６のうちの６つにした例が示されている。
【０１５６】
言うまでもないが、このような形状の雄ねじ２と組み合わされるソケット３の穴３２の形状は雄ねじ２に合致した状態で嵌合する形状とされる。
【０１５７】
なお、図２８Ａ，Ｂ，Ｃに示していないが、前記２組の凹条部２８および凸条部２７の設置対象となる弛緩トルク受面２６の数を反時計回り方向に１つずつ増やすようにすることも可能である。
【０１５８】
また、前記凹条部２８および凸条部２７の形状は、任意であり、また、弛緩トルク受面２６に対する凹条部２８および凸条部２７の各設置位置は、任意である。そのため、前記凹条部２８および凸条部２７の形状ならびに設置位置をいろいろ変更することによって、固有の締結キット１をさらに増やすことができる。
【０１５９】
（２０）図２９Ａ，Ｂ，Ｃおよび図３０Ａ，Ｂには、複数の窪み部２４のうちのうちの少なくとも１つの締付トルク受面２５に１つの凸条部２７を、また前記と同じ窪み部２４の弛緩トルク受面２６において内端縁２６ａから外端縁２６ｂへ向けて順に凹条部２８と凸条部２７と凹条部２８とを設ける例が示されている。なお、締付トルク受面２５の１つの凸条部２７と弛緩トルク受面２６の内端縁２６ａ寄りの凹条部２８とを１組とし、弛緩トルク受面２６に設置している残りの凸条部２７と凹条部２８とを１組とする。この例は、請求項５に記載している技術思想に含まれる。
【０１６０】
図２９Ａの（ａ）に示すように、前記２組の凸条部２７および凹条部２８の設置対象をいずれか１つの窪み部２４にし、図２９Ａの（ｂ），（ｃ）および図２９Ｂ，Ｃに示すように、前記２組の凸条部２７および凹条部２８の設置対象となる窪み部２４の数を反時計回り方向に１つずつ増やすことが考えられる。
【０１６１】
具体的に、図２９Ａの（ａ）には、前記２組の凸条部２７および凹条部２８の設置対象を総数８個の窪み部２４のうちの１つにした例が示されている。図２９Ａの（ｂ）には、前記２組の凸条部２７および凹条部２８の設置対象を総数８個の窪み部２４のうちの２つにした例が示されている。図２９Ａの（ｃ）には、前記２組の凸条部２７および凹条部２８の設置対象を総数８個の窪み部２４のうちの３つにした例が示されている。図２９Ｂの（ｄ）には、前記２組の凸条部２７および凹条部２８の設置対象を総数８個の窪み部２４のうちの４つにした例が示されている。図２９Ｂの（ｅ）には、前記２組の凸条部２７および凹条部２８の設置対象を総数８個の窪み部２４のうちの５つにした例が示されている。図２９Ｂの（ｆ）には、前記２組の凸条部２７および凹条部２８の設置対象を総数８個の窪み部２４のうちの６つにした例が示されている。図２９Ｃの（ｇ）には、前記２組の凸条部２７および凹条部２８の設置対象を総数８個の窪み部２４のうちの７つにした例が示されている。図２９Ｃの（ｈ）には、前記２組の凸条部２７および凹条部２８の設置対象を総数８個の窪み部２４のすべてにした例が示されている。
【０１６２】
また、図２９Ａの（ｂ）に示すように前記２組の凸条部２７および凹条部２８の設置対象を総数８個の窪み部２４のうちの２つにする例については、図３０Ａの（ａ）に示す例も考えられる。図２９Ａの（ｃ）に示すように前記２組の凸条部２７および凹条部２８の設置対象を総数８個の窪み部２４のうちの３つにする例については、図３０Ａの（ｂ）に示す例も考えられる。図２９Ｂの（ｄ）に示すように前記２組の凸条部２７および凹条部２８の設置対象を総数８個の窪み部２４のうちの４つにする例については、図３０Ａの（ｃ），（ｆ）に示す例も考えられる。図２９Ｂの（ｅ）に示すように前記２組の凸条部２７および凹条部２８の設置対象を総数８個の窪み部２４のうちの５つにする例については、図３０Ｂ（ｄ）に示す例も考えられる。図２９Ｂの（ｆ）に示すように前記２組の凸条部２７および凹条部２８の設置対象を総数８個の窪み部２４のうちの６つにする例については、図３０Ｂの（ｅ）に示す例も考えられる。
【０１６３】
言うまでもないが、このような形状の雄ねじ２と組み合わされるソケット３の穴３２の形状は雄ねじ２に合致した状態で嵌合する形状とされる。
【０１６４】
なお、前記凹条部２８および凸条部２７の形状は、任意であり、また、凹条部２８および凸条部２７の各設置位置は、任意である。そのため、前記凹条部２８および凸条部２７の形状ならびに設置位置をいろいろ変更することによって、固有の締結キット１をさらに増やすことができる。
【０１６５】
（２１）図３１Ａ，Ｂ，Ｃおよび図３２Ａ，Ｂ，Ｃには、複数の窪み部２４のうちの少なくとも１つの窪み部２４の締付トルク受面２５に凸条部２７と凹条部２８とを１つずつ設け、また前記と同じ窪み部２４の弛緩トルク受面２６に２つの凹条部２８と１つの凸条部２７とを設ける例が示されている。この図示例では、締付トルク受面２５において内端縁２５ａ寄りに凹条部２８を配置して、締付トルク受面２５の外端縁２５ｂ寄りに凸条部２７を配置している。また、弛緩トルク受面２６において内端縁２６ａから外端縁２６ｂへ向けて凹条部２８と凸条部２７と凹条部２８とを配置している。この例は、請求項９に記載している技術思想に含まれる。
【０１６６】
図３１Ａの（ａ）に示すように、前記２つの凸条部２７および前記３つの凹条部２８の設置対象をいずれか１つの窪み部２４にし、図３１Ａの（ｂ），（ｃ）および図３１Ｂ，Ｃに示すように、前記２つの凸条部２７および前記３つの凹条部２８の設置対象となる窪み部２４の数を反時計回り方向に１つずつ増やすことが考えられる。
【０１６７】
具体的に、図３１Ａの（ａ）には、前記２つの凸条部２７および前記３つの凹条部２８の設置対象を総数８個の窪み部２４のうちの１つにした例が示されている。図３１Ａの（ｂ）には、前記２つの凸条部２７および前記３つの凹条部２８の設置対象を総数８個の窪み部２４のうちの２つにした例が示されている。図３１Ａの（ｃ）には、前記２つの凸条部２７および前記３つの凹条部２８の設置対象を総数８個の窪み部２４のうちの３つにした例が示されている。図３１Ｂの（ｄ）には、前記２つの凸条部２７および前記３つの凹条部２８の設置対象を総数８個の窪み部２４のうちの４つにした例が示されている。図３１Ｂの（ｅ）には、前記２つの凸条部２７および前記３つの凹条部２８の設置対象を総数８個の窪み部２４のうちの５つにした例が示されている。図３１Ｂの（ｆ）には、前記２つの凸条部２７および前記３つの凹条部２８の設置対象を総数８個の窪み部２４のうちの６つにした例が示されている。図３１Ｃの（ｇ）には、前記２つの凸条部２７および前記３つの凹条部２８の設置対象を総数８個の窪み部２４のうちの７つにした例が示されている。図３１Ｃの（ｈ）には、前記２つの凸条部２７および前記３つの凹条部２８の設置対象を総数８個の窪み部２４のすべてにした例が示されている。
【０１６８】
また、図３１Ａの（ｂ）に示すように前記２つの凸条部２７および前記３つの凹条部２８の設置対象を総数８個の窪み部２４のうちの２つにする例については、図３２Ａの（ａ）に示す例も考えられる。図３１Ａの（ｃ）に示すように前記２つの凸条部２７および前記３つの凹条部２８の設置対象を総数８個の窪み部２４のうちの３つにする例については、図３２Ａの（ｂ）に示す例も考えられる。図３１Ｂの（ｄ）に示すように前記２つの凸条部２７および前記３つの凹条部２８の設置対象を総数８個の窪み部２４のうちの４つにする例については、図３２Ａの（ｃ）および図３２Ｃの（ｇ）に示す例も考えられる。図３１Ｂの（ｅ）に示すように前記２つの凸条部２７および前記３つの凹条部２８の設置対象を総数８個の窪み部２４のうちの５つにする例については、図３２Ｂの（ｄ）に示す例も考えられる。図３１Ｂの（ｆ）に示すように前記２つの凸条部２７および前記３つの凹条部２８の設置対象を総数８個の窪み部２４のうちの６つにする例については、図３２Ｂの（ｅ）および図３２Ｃの（ｆ）に示す例も考えられる。
【０１６９】
言うまでもないが、このような形状の雄ねじ２と組み合わされるソケット３の穴３２の形状は雄ねじ２に合致した状態で嵌合する形状とされる。
【０１７０】
なお、前記凹条部２８および凸条部２７の形状は、任意であり、また、凹条部２８および凸条部２７の各設置位置は、任意である。そのため、前記凹条部２８および凸条部２７の形状ならびに設置位置をいろいろ変更することによって、固有の締結キット１をさらに増やすことができる。
【０１７１】
（２２）上記実施形態において、雄ねじ２の締付トルク受面２５それぞれの形状および雌ねじ４の締付トルク受面４５それぞれの形状を、例えば膨出面にすることが可能である。
【０１７２】
例えば図３３には、雄ねじ２の締付トルク受面２５それぞれの内端縁から外端縁までの全域に、締付トルク１００の入力方向と反対向きに膨出する形状の凸条部を設けた例を示している。
【０１７３】
なお、前記凸条部からなる締付トルク受面２５は、この実施形態において部分円弧形状の曲面とされていて、その曲率半径は任意に設定されるが、例えば多数の円弧を連接した複合曲面あるいは多角形の複合面とすることも可能である。
【０１７４】
このように、前記凸条部からなる締付トルク受面２５を部分円弧形状の曲面にしている場合、当該凸条部の最大突出部は、内端縁２５ａから外端縁２５ｂまでの全長範囲の中央位置に配置される。但し、前記最大突出部の位置は、前記記載に限定されない。言うまでもないが、このような形状の雄ねじ２と組み合わされるソケット３の穴３２の形状は雄ねじ２に合致した状態で嵌合する形状とされる。
【０１７５】
（２３）上記実施形態において、雄ねじ２の締付トルク受面２５それぞれの径方向途中および雌ねじ４の締付トルク受面４５それぞれの径方向途中に、雄ねじ２の軸心２３または雌ねじ４の軸心４３と平行な方向に沿う凸条部を設けることが可能である。
【０１７６】
例えば図３４および図３５には、雄ねじ２の締付トルク受面２５それぞれの径方向途中に凸条部２７を１つ設けた例を示している。
【０１７７】
この凸条部２７とは、前記締付トルク受面２５において雄ねじ２の軸心２３と平行な方向の全域に沿って設けられる凸部のことを意味している。この例の凸条部２７は、平面視において先端に向けて幅狭になるＶ字形とされている。そして、前記凸条部２７の幅は、図２３に示すように、前記雄ねじ２の軸心２３と平行な方向に沿って一定にされているが、例えば図３６に示すように、ソケット３の嵌合方向の前方（雄ねじ２のねじ軸２１側）へ向けて漸増されるようにしてもよい。なお、図３５および図３６において、紙面の上下方向が雄ねじ２の軸心２３と平行な方向となり、紙面の下側がソケット３の嵌合方向の前方（雄ねじ２のねじ軸２１側）となることとする。言うまでもないが、このような形状の雄ねじ２と組み合わされるソケット３の穴３２の形状は雄ねじ２に合致した状態で嵌合する形状とされる。
【０１７８】
（２４）上記実施形態において、雄ねじ２の弛緩トルク受面２６それぞれの所定領域および雌ねじ４の弛緩トルク受面４６それぞれの所定領域に、雄ねじ２の軸心２３または雌ねじ４の軸心４３と平行な方向に沿う凸条部を設けることが可能である。
【０１７９】
例えば図３７には、雄ねじ２の弛緩トルク受面２６それぞれの所定領域に凸条部２７を１つ設けた例を示している。
【０１８０】
この凸条部２７とは、前記締付トルク受面２５において雄ねじ２の軸心２３と平行な方向の全域に沿って設けられる凸部のことを意味している。この例の凸条部２７は、平面視において先端に向けて幅狭になるＵ字形とされている。そして、図示していないが、前記凸条部２７の幅は、前記雄ねじ２の軸心２３と平行な方向に沿って一定にされているが、ソケット３の嵌合方向の前方（雄ねじ２のねじ軸２１側）へ向けて漸増されるようにしてもよい。言うまでもないが、このような形状の雄ねじ２と組み合わされるソケット３の穴３２の形状は雄ねじ２に合致した状態で嵌合する形状とされる。
【０１８１】
（２５）上記実施形態では、雄ねじ２の締付トルク受面２５のすべておよび雌ねじ４の締付トルク受面４５のすべてを、締結キット１毎の固有形状とした場合を例に挙げているが、本発明はこれのみに限定されるものではない。
【０１８２】
例えば雄ねじ２のすべての締付トルク受面２５のうちの少なくとも１つおよび雌ねじ４のすべての締付トルク受面２５のうちの少なくとも１つを、締結キット１毎の固有形状（上記各実施形態で示した形状のうちのいずれかの形状）とすることが可能である。
【０１８３】
例えば図３８には、雄ねじ２のすべての締付トルク受面２５のうちの１つの全域を図３３と同形状の凸条部、つまり締付トルク１００の入力方向と反対向きに膨出する形状の凸条部にし、それ以外の締付トルク受面２５を雄ねじ２の軸心２３を含む平面と合致する平坦面にした例を示している。言うまでもないが、このような形状の雄ねじ２と組み合わされるソケット３の穴３２の形状は雄ねじ２に合致した状態で嵌合する形状とされる。
【０１８４】
（２６）上記実施形態では、雄ねじ２の締付トルク受面２５のすべておよび雌ねじ４の締付トルク受面４５のすべてを、締結キット１毎の固有形状とした場合を例に挙げているが、本発明はこれのみに限定されるものではない。
【０１８５】
例えば雄ねじ２の窪み部２４および雌ねじ４の窪み部４４の総数を偶数個とし、当該窪み部２４，４４それぞれの締付トルク受面２５，４５のうちの１つおきに位置する締付トルク受面２５，４５を、締結キット１毎の固有形状（上記各実施形態で示した形状のうちのいずれかの形状）とすることが可能である。
【０１８６】
例えば図３９には、雄ねじ２のすべての締付トルク受面２５のうちの１つおきに位置する締付トルク受面２５の全域を図３３と同形状の凸条部、つまり締付トルク１００の入力方向と反対向きに膨出する形状の凸条部にし、それ以外の締付トルク受面２５を雄ねじ２の軸心２３を含む平面と合致する平坦面にした例を示している。言うまでもないが、このような形状の雄ねじ２と組み合わされるソケット３の穴３２の形状は雄ねじ２に合致した状態で嵌合する形状とされる。
【産業上の利用可能性】
【０１８７】
本発明は、頭部付き雄ねじおよび雌ねじの少なくともいずれか一方のねじと、このねじのみに使用可能な専用工具であるソケットとを含む締結キットに好適に利用することが可能である。
【符号の説明】
【０１８８】
１    締結キット
２    雄ねじ
２１  ねじ軸
２２  頭部（工具嵌合部に相当）
２３  雄ねじの軸心
２４  窪み部
２５  締付トルク受面
２５ａ  内端縁
２５ｂ  外端縁
２６  弛緩トルク受面
２６ａ  内端縁
２６ｂ  外端縁
３    ソケット
３１  胴体
３２  穴
３３  ソケットの軸心
３４  張り出し部
３５  締付トルク伝達面
３５ａ  内端縁
３５ｂ  外端縁
３６  弛緩トルク伝達面
３６ａ  内端縁
３６ｂ  外端縁
４    雌ねじ
４１  胴体（工具嵌合部に相当）
４２  ねじ孔
４３  雌ねじの軸心
４４  窪み部
４５  締付トルク受面
４５ａ  内端縁
４５ｂ  外端縁
４６  弛緩トルク受面
４６ａ  内端縁
４６ｂ  外端縁
【図１】
2016103751.tif 000003
【図２】
2016103751.tif 000004
【図３】
2016103751.tif 000005
【図４】
2016103751.tif 000006
【図５】
2016103751.tif 000007
【図６】
2016103751.tif 000008
【図７】
2016103751.tif 000009
【図８】
2016103751.tif 000010
【図９】
2016103751.tif 000011
【図１０】
2016103751.tif 000012
【図１１】
2016103751.tif 000013
【図１２】
2016103751.tif 000014
【図１３】
2016103751.tif 000015
【図１４】
2016103751.tif 000016
【図１５】
2016103751.tif 000017
【図１６Ａ】
2016103751.tif 000018
【図１６Ｂ】
2016103751.tif 000019
【図１６Ｃ】
2016103751.tif 000020
【図１７Ａ】
2016103751.tif 000021
【図１７Ｂ】
2016103751.tif 000022
【図１７Ｃ】
2016103751.tif 000023
【図１８Ａ】
2016103751.tif 000024
【図１８Ｂ】
2016103751.tif 000025
【図１８Ｃ】
2016103751.tif 000026
【図１９Ａ】
2016103751.tif 000027
【図１９Ｂ】
2016103751.tif 000028
【図１９Ｃ】
2016103751.tif 000029
【図２０Ａ】
2016103751.tif 000030
【図２０Ｂ】
2016103751.tif 000031
【図２１Ａ】
2016103751.tif 000032
【図２１Ｂ】
2016103751.tif 000033
【図２１Ｃ】
2016103751.tif 000034
【図２２Ａ】
2016103751.tif 000035
【図２２Ｂ】
2016103751.tif 000036
【図２２Ｃ】
2016103751.tif 000037
【図２３Ａ】
2016103751.tif 000038
【図２３Ｂ】
2016103751.tif 000039
【図２４Ａ】
2016103751.tif 000040
【図２４Ｂ】
2016103751.tif 000041
【図２４Ｃ】
2016103751.tif 000042
【図２５Ａ】
2016103751.tif 000043
【図２５Ｂ】
2016103751.tif 000044
【図２６Ａ】
2016103751.tif 000045
【図２６Ｂ】
2016103751.tif 000046
【図２６Ｃ】
2016103751.tif 000047
【図２７Ａ】
2016103751.tif 000048
【図２７Ｂ】
2016103751.tif 000049
【図２８Ａ】
2016103751.tif 000050
【図２８Ｂ】
2016103751.tif 000051
【図２８Ｃ】
2016103751.tif 000052
【図２９Ａ】
2016103751.tif 000053
【図２９Ｂ】
2016103751.tif 000054
【図２９Ｃ】
2016103751.tif 000055
【図３０Ａ】
2016103751.tif 000056
【図３０Ｂ】
2016103751.tif 000057
【図３１Ａ】
2016103751.tif 000058
【図３１Ｂ】
2016103751.tif 000059
【図３１Ｃ】
2016103751.tif 000060
【図３２Ａ】
2016103751.tif 000061
【図３２Ｂ】
2016103751.tif 000062
【図３２Ｃ】
2016103751.tif 000063
【図３３】
2016103751.tif 000064
【図３４】
2016103751.tif 000065
【図３５】
2016103751.tif 000066
【図３６】
2016103751.tif 000067
【図３７】
2016103751.tif 000068
【図３８】
2016103751.tif 000069
【図３９】
2016103751.tif 000070
【国際調査報告】
2016103751.tif 000071
2016103751.tif 000072